(57)【要約】【課題】加熱調理器の操作パネルにおいて、上下重なった電子部品の装着されている基板を効率よく組み立てる。【解決手段】加熱操作をするための機能設定キーなどを備えた操作パネル３と、この操作パネル３の裏側に設けられ、キースイッチ４ａなどが装着される下基板４と電子部品に電源を供給するトランス５ａなどを装着した上基板５とを上下重ねて配置し、これらを操作パネル３の裏面に設けた下基板用ボス６と上基板用ボス７にネジ８で固定する加熱調理器において、上基板５に下基板４を下基板用ボス６にネジ８で固定するための作業穴９や作業切り欠き穴１０を設ける。【選択図】　図５
2004101153.tif 000002
【特許請求の範囲】
【請求項１】
被加熱物（１）を収納して加熱調理する加熱室（２）と、被加熱物（１）の加熱方法や調理時間などの加熱操作をする機能設定キー（３ｄ）や調理時間などを表示する表示窓（３ｅ）などを備えた操作パネル（３）と、この操作パネル（３）の裏側に設けられ、前記機能設定キー（３ｄ）からの加熱操作によるＯＮ、ＯＦＦを信号に変換するためのキースイッチ（４ａ）が装着される下基板（４）と電子部品に電源を供給するトランス（５ａ）や回路をＯＮ、ＯＦＦ制御するリレー（５ｂ）などを装着した上基板（５）とよりなり、前記下基板（４）と前記上基板（５）とを上下に重ねて配置し、これらを操作パネル（３）の裏面に設けた下基板用ボス（６）と上基板用ボス（７）にネジ（８）で固定する加熱調理器において、上基板（５）に下基板（４）を下基板用ボス（６）にネジ（８）で固定するための作業穴（９）や作業切り欠き穴（１０）を設けることを特徴とする加熱調理器。
【発明の詳細な説明】
【０００１】
【発明の属する技術分野】
本発明は、電子部品などが装着された２枚の基板を能率よく操作パネルに固定する作業を可能とした加熱調理器に関するものである。
【０００２】
【従来の技術】
電子レンジ等の加熱調理器においては、限られたスペースを効率よく利用したり、部品間の伝達をスムーズにするため部品を重ねて設置する場合がある。電子部品を搭載した基板においても重ねて設置すればスペースを有効に利用できるが、電子部品の形状が部品により異なることや、電子部品に直接荷重がかけられないなどの制約条件がある。
【０００３】
このため電子部品を搭載した複数の基板を上下重ねて設置する方法としては図７に示すように、被加熱物を収納して加熱調理する加熱室（図示せず）と、加熱設定キー２１や調理時間などを表示する表示窓２２などを設けた操作パネル２９と、被加熱物の調理手段や調理時間を設定し加熱調理動作を行なう制御部２０とを備え、この制御部２０は操作スイッチ２３、調理時間を表示する表示部２４を装着した基板２５やマイコン２６、リレー２７を装着した基板２８により構成し、それら基板２５、２８を一定の空間を確保するの非導電性ボスを有する保持具２９を介して固定し、さらに基板２５、２８を操作パネル２９の裏側に設けているボス３０にビス３１などで固定しているものであった。（例えば、特開２００１−２１１４８号公報参照）
【０００４】
【発明が解決しようとする課題】
上記従来の技術にあっては、基板２５、２８間を一方ではビス３１により固定され、他方は非導電性の保持具２９で固定されるため、作業内容が異なり作業性が悪い問題があった。しかも、別個の保持具が必要であるため部品点数が多くなり、コストアップになる問題があった。
【０００５】
また、２枚の基板２５、２８が長さ、幅とも同じ形状の場合は、初め下側の基板２５を固定してから上側の基板２８を固定する必要があるなど、２枚の基板を固定させるのに、同じ動作を２回繰り返すため、作業効率において問題があった。
【０００６】
【課題を解決するための手段】
上記課題を解決するために本発明では、被加熱物を収納して加熱調理する加熱室と、被加熱物の加熱方法や調理時間などの加熱操作をする機能設定キーや調理時間などを表示する表示窓などを備えた操作パネルと、この操作パネルの裏側に設けられ、前記機能設定キーからの加熱操作によるＯＮ、ＯＦＦを信号に変換するためのキースイッチが装着される下基板と電子部品に電源を供給するトランスや回路をＯＮ、ＯＦＦ制御するリレーなどを装着した上基板とよりなり、前記下基板と前記上基板とを上下に重ねて配置し、これらを操作パネルの裏面に設けた下基板用ボスと上基板用ボスにネジで固定する加熱調理器において、上基板に下基板を下基板用ボスにネジで固定するための作業穴や作業切り欠き穴を設けたものである。
【０００７】
【発明の実施の形態】
以下、本発明の一実施例を、図面を用いて説明する。
【０００８】
図１は、本発明の一実施例である加熱調理器の正面外観図で、１は被加熱物である。２は被加熱物を収納する加熱室である。２ａはドアで、被加熱物１を収納する加熱室２の開口部を被い、被加熱物１を加熱室２から出し入れするときに使用する。３は操作パネルで、被加熱物１を調理するとき使用する操作関連機能が設置されている。
【０００９】
図２は操作パネル３の正面外観図で、３ａは使用頻度の高いごはんの温めキーなどのオートメニューキーＡである。３ｂは炒め物キー、フライキーなどのオートメニューキーＢである。３ｃは加熱を開始するとき使用するスタートキーである。３ｄは電子レンジとかオーブン、グリルなどの機能を選んだり、加熱時間を設定したりする機能設定キーである。３ｅは加熱時間などを表示する表示窓である。
【００１０】
図３は操作パネル３のＡ−Ａ部における断面図で、４ａはキースイッチで、オートメニューキーＢ３ｂなどと連動している。４ｂは表示管で、加熱時間や機能などを表示するものである。４は下基板で、前記キースイッチ４ａや前記表示管４ｂなどを装着している。
【００１１】
５は上基板で、前記下基板４に装着されている表示管４ｂやマイコン（図示せず）などの電源を作り出すトランス５ａや電気回路のＯＮ、ＯＦＦ制御を行なうリレー５ｂなどが装着されている。
【００１２】
６は下基板用ボスで、操作パネル３の裏面に複数個設けられ、下基板４を固定するものである。本発明では３個設けられている。７は上基板用ボスで、操作パネル３の裏面に複数個設けられ、上基板５を固定するものである。本発明では４個設けられている。これら下基板用ボス６や上基板用ボス７は、下基板６や上基板５の大きさや装着する部品の形状により設ける数が異なる。
【００１３】
８は下基板４や上基板５を下基板用ボス６や上基板用ボス７に固定するネジである。
【００１４】
図４は部品が装着されていない状態の下基板４の図で、４ｐは穴である。４ｑは半円状の切り欠き穴である。これら穴４ｐや切り欠き穴４ｑは前記上基板用ボス７を通すためのものである。４ｒは下基板４を下基板用ボス６にネジ８で固定するための固定用穴である。
【００１５】
図５は部品が装着されていない状態の上基板５の図で、９は作業穴である。１０は半円状の作業切り欠き穴である。これら作業穴９や作業切り欠き穴１０は下基板用ボス６と対面する位置に設けられ、下基板４を下基板用ボス６にネジ８で固定作業するとき使用するものである。５ｒは上基板５を上基板用ボス７にネジ８で固定するための固定用穴である。
【００１６】
次に、上記構成からなる本実施例の組み立て工程について説明する。
【００１７】
図６（ａ）に示すように、操作パネル３の裏側に電子部品などが装着された下基板４を設置する。下基板４には上基板用ボス７を通すための穴４ｐと切り欠き穴４ｑが開いているため下基板用ボス６に密着固定される。
【００１８】
次に、図６（ｂ）に示すように電子部品などが装着された上基板５を設置する。上基板５は上基板用ボス７に密着戴置される。
【００１９】
最後に、図６（ｃ）に示すように定められた個所をネジ８で固定する。上基板５のネジ８による固定は障害物がなく問題ない。下基板４のネジ８による固定も作業穴９と作業切り欠き穴１０があるためスムーズに作業することができる。尚、本発明では、ネジ８の締め付けは自動機械によるネジ締め付けを行うため、治具径に合わせ直径１２ｍｍとした。
【００２０】
このように上基板５に下基板４をネジ８で固定する作業穴９などを設けることにより１度で下基板４と上基板５のネジ８の締め付け可能となり作業工程が短縮され、組み立て性の向上が図られる。
【００２１】
【発明の効果】
以上説明したように本発明では、被加熱物を収納して加熱調理する加熱室と、被加熱物の加熱方法や調理時間などの加熱操作をする機能設定キーや調理時間などを表示する表示窓などを備えた操作パネルと、この操作パネルの裏側に設けられ、前記機能設定キーからの加熱操作によるＯＮ、ＯＦＦを信号に変換するためのキースイッチが装着される下基板と電子部品に電源を供給するトランスや回路をＯＮ、ＯＦＦ制御するリレーなどを装着した上基板とよりなり、前記下基板と前記上基板とを上下に重ねて配置し、これらを操作パネルの裏面に設けた下基板用ボスと上基板用ボスにネジで固定する加熱調理器において、上基板に下基板を下基板用ボスにネジで固定するための作業穴や作業切り欠き穴を設けたことにより、１度で下基板と上基板のネジの締め付けが可能となるため作業工程が短縮され、組み立て性の向上が図られる。
【００２２】
また、基板間を固定する支持具なども不要となり部品削減による原価低減などの効果も生じる。
【図面の簡単な説明】
【図１】本発明の一実施例における加熱調理器の正面外観図である。
【図２】本発明の一実施例における操作パネルの正面図である。
【図３】図２のＡ−Ａ部の縦断面図である。
【図４】電子部品などが装着されていない下基板の平面図である。
【図５】電子部品などが装着されていない上基板の平面図である。
【図６】本発明の一実施例における下基板と上基板の組み立て作業工程図ある。
【図７】従来の制御部の縦断面図である。
【符号の説明】
１・・・被加熱物
２・・・加熱室
３・・・操作パネル
３ｄ・・機能設定キー
３ｅ・・表示窓
４・・・下基板
４ａ・・キースイッチ
５・・・上基板
５ａ・・トランス
５ｂ・・リレー
６・・・下基板用ボス
７・・・上基板用ボス
８・・・ネジ
９・・・作業穴
１０・・・作業切り欠き穴
【図１】
2004101153.tif 000003
【図２】
2004101153.tif 000004
【図３】
2004101153.tif 000005
【図４】
2004101153.tif 000006
【図５】
2004101153.tif 000007
【図６】
2004101153.tif 000008
【図７】
2004101153.tif 000009